(57)【特許請求の範囲】
【請求項１】
車検に際し、顧客との間で車検車両と同等クラス乃至それ以上のクラスの新車を一定期間内に購入することを契約した場合に安価な費用で車検を受けられる車検サービスに基づく車検管理システムであって、
上記契約を記憶する手段と
排気量乃至車両重量と車両クラスを関連付けた車両テーブルを記憶する手段
車検対象車両の排気量量情報と車両重量情報から上記車両テーブルを参照して車検対象車両のクラスを特定する手段と
購入新車の排気量情報と車両重量情報から上記車両テーブルを参照して購入新車のクラスを特定する手段と
車検対象車両と購入新車のクラスを比較して判別する手段
クラスに従って基本車検代金DBから基本車検代金を算出する手段
を備えたことを特徴とする車検管理システム。
【請求項２】
貨物車両の車検に際しては、車両テーブルとして排気量乃至乗員重量、最大積載量を含めた車両総重量と車両クラスを関連付けた車両テーブルを使用する請求項1記載の車検管理システム。
【発明の詳細な説明】
【技術分野】
【０００１】
本願発明は、例えば極めて安い費用で車検を実施できる車検管理システム及びその方法に関する。
【背景技術】
【０００２】
新車購入に際しては、顧客はその後２年乃至３年の一定期間を置いて当該車両の車検が義務付けられている。この車検に関する技術としては、例えば以下のようなものがある。
【０００３】
特許文献１は、車両に取り付けられた車検時期を含む車検情報が格納された電子ナンバープレートから車検情報を読み取り、車検時期を通知するシステムが開示されている。また、特許文献２には、オンラインでユーザーに必要情報を入力させ、代理店はその情報に従った車検に関する詳細な見積金額を提示するシステムが開示されている。
【０００４】
これら車検部門についてみれば、新車の販売台数は平成２年の日本の国内乗用自動販売台数約５００万台あったものを次第に減少し、最近では４００万台ぐらいに下がっており、更に新車を購入してから代替の新車を購入する年数も８年程度に延びているなど新車販売を巡る環境を厳しいものがあり、このため新車を販売していたメーカー系列の新車販売ディーラー会社は車検業務のため整備工場を設けるなど新車販売を補う収益源として車検部門に近年力を入れている。
【０００５】
本願出願人は、更に車検に際し、顧客との間で当該車検車両と同等クラス乃至それ以上のクラスの新車を一定期間内、例えば車検期間内に購入することを契約上約した場合に安価な費用で車検を受けられるなどのサービスの供与を約した契約を取り交わす車検サービスのビジネスモデルを提案するものである。
【０００６】
この車検サービスには以下のような利点がある。
（１）車検サービスを受ける側は、次回車検等一定期間後一定期間後に新車を購入することを契約の中で約束することで普通より極端に安い費用で車検を実施できる。
（２）車検サービスで受ける側は、そろそろ車の安全面から新車に買い換えるべき時期に高額な車検代を払いたくない場合に、一定期間内に新車を購入することを約束するだけで極端に安い金額で車検を通すことができ、とりあえずの出費を抑えることができる。
（３）車検サービスを提供する側では、新車購入を担保として極端に安い車検費用で車検サービスを提供できるため、自社の顧客の車検を他社から防衛することができる。或いは他社の顧客の車検を奪うことも可能性が高い。
（４）車検サービスを提供する側では、更には車検という相対的に少額の商品に絡めて新車販売という高額の商品を販売することができる。
（５）車検サービスを提供する側では、車検サービスからは直接利益を得ることはないが、近い将来の新車購入を確保できるため車検代よりも大きな金額の利益を将来得ることができる。
【先行技術文献】
【特許文献】
【０００７】
【特許文献１】特開２００４−２８７９３６
【特許文献２】特開２００３−１３２２４７
【発明の概要】
【発明が解決しようとする課題】
【０００８】
本願発明は以上ビジネスモデルに基づく車検管理システムと車検管理方法を提案するものである。
【課題を解決するための手段】
【０００９】
そこで、本願発明は車検に際し、当該車検車両と同等クラス乃至それ以上のクラスの新車を一定期間内に購入することを契約上約した場合にサービスの供与を約した契約の基に於ける車検管理システムであって、
上記契約を記憶する手段と
排気量乃至車両重量と車両クラスを関連付けた車両テーブルを記憶する手段と
車検対象車両の排気量情報と車両重量情報から上記車両テーブルを参照して車検対象車両のクラスを特定する手段と
購入新車の排気量情報と車両重量情報から上記車両テーブルを参照して購入新車のクラスを特定する手段と
車検対象車両と購入新車のクラスを比較して判別する手段
を備えたことを特徴とする車検管理システム。
【００１０】
車検に際し、当該車検車両と同等クラス乃至それ以上のクラスの新車を一定期間内に購入することを契約上約した場合にサービスの供与を約した契約の基に於ける車検管理方法であって、
上記契約を記憶するステップと
排気量乃至車両重量と車両クラスを関連付けた車両テーブルを記憶するステップと
上記契約の存在を確認するステップと
車検対象車両の排気量情報と車両重量情報から上記車両テーブルを参照して車検対象車両のクラスを特定するステップと
購入新車の排気量情報と車両重量情報から上記車両テーブルを参照して購入新車のクラスを特定するステップと
車検対象車両と購入新車のクラスを比較して判別するステップと
を行うことを特徴とする車検管理方法を提案するものである。  
【００１１】
ここで、サービスとしては、車検費用を通常の半額にする等の金銭的サービスの他に、各種労務サービス等が含まれる。  
【００１２】
また、排気量と車両重量情報は車検対象車両の場合、車検証に記載された「初年度登録年月、型式指定番号、類別区分番号」を検索部を通して得ることができるが、車検証を有しない新車については「メーカー、車種、グレード、駆動方式」を検索部に通して得ることができる。
【００１３】
なお、以上の車検は普通車両同士、貨物車両同士について適用されるが、貨物車両については車両テーブルとして排気量乃至乗員重量、最大積載量を含めた車両総重量と車両クラスを関連付けた車両テーブルを使用する。
【００１４】
実際には、貨物車両について車両総重量は車両重量＋乗員数×５５Ｋｇ＋最大積載量で定められる。
【発明の効果】
【００１５】
本発明は次回車検等一定期間後に新車を購入することを契約の中で約束しているため、新車購入時の利益を見込んで半額車検のように車検代が通常に比べて極端に安くすることができる。
【００１６】
本発明は、契約で定められた期間内に車検車と同等クラス以上の新車を購入すれば、実際に以上の極端に安い車検代できる。
【図面の簡単な説明】
【００１７】
【図１】本願発明に係わるシステムの一実施例を示す系列図
【図２】本願発明に係わる方法の一実施例を示すフローチャート
【発明を実施するための形態】
【００１８】
車検に際し、当該車検車両と同等クラス乃至それ以上のクラスの新車を一定期間内に購入することを契約上約した場合に車検代金の減額を約した契約の基に於ける車検管理システムであって、
上記契約を記憶する手段と、排気量乃至車両重量と車両クラスを関連付けた車両テーブルを記憶する手段と、車検対象車両の排気量情報と車両重量情報から上記車両テーブルを参照して車検対象車両のクラスを特定する手段と、購入新車の排気量情報と車両重量情報から上記車両テーブルを参照して購入新車のクラスを特定する手段と、車検対象車両と購入新車のクラスを比較して判別する手段を備えた車検管理システム。
【実施例１】
【００１９】
以下本発明を図示の実施例に基づいて説明すると、車検を行う店舗で２年以内（次回車検まで）に同等クラス以上の車を買い替えることを約束した顧客に車検料金を半額にするシステムです。
【００２０】
１は契約内容収納部、２ａは車検対象検索部、２ｂは購入新車検索部、３は排気量乃至車両重量と車両クラスを関連付けた車両テーブル、４ａは車検対象車両クラス特定部、４ｂは購入新車クラス特定部、５は比較・判定部、６は基本車検代金ＤＢである。  
【００２１】
収納部１に格納された契約に基づき所定期限内に新車の購入が確認されると、車検対象検索部２ａには車検証から「初年度登録年月、型式指定番号、類別区分類」（７）が入力されて車検対象車両の排気量・車両重量が得られ、また購入新車両検索部２ｂには「メーカー、車種、グレード、駆動方式」（８）が入力されて購入新規車両の排気量・車両重量が得られる。
【００２２】
なお、この実施例では「初年度登録年月、型式指定番号、類別区分類」（７）と「メーカー、車種、グレード、駆動方式」（８）には参照用の全車種ＤＢ９が分離して併設されている。
【００２３】
車検対象車両の排気量・車両重量と購入新規車両の排気量・車両重量は車両テーブル３に送られ、排気量乃至車両重量と車両クラスを関連付けた車両テーブルから車検対象車両、購入新規車両はクラス化が行われ、それぞれクラス特定部４ａ、４ｂに送られ、更に比較・判定部５で比較・判定され、クラスに従って基本車検代金ＤＢ６から税金部分以外の基本車検代金が算出される。
【００２４】
なお、この算出された基本車検代金に税金・自賠保険部分を含めた本願出願人の車検料金が計算される。
【００２５】
次に、この実施例をフローチャートで説明すると、「契約の新車購入期限内に新車購入があったか否か」の第１ステップで「ＹＥＳ」をした場合には「購入新車の選択を行う」の第２ステップ、「選択した車両の選択を行う」の第３ステップ、「選択車両の車検クラスは車検車両のクラスと同等またはそれ以上のクラスであるか否か」の第４ステップで「ＹＥＳ」をした場合は「車検契約のステータスを最終完了とする」の第５ステップに進み、終了とする。
【００２６】
即ち、契約通りのクラスの車両を購入した場合は、契約内容により通常の半額程度の車検を行うことができる。
【００２７】
なお、第１ステップで「ＮＯ」をした場合は「契約期限違反時の処理を行う」の第６ステップに進む。                      
【００２８】
また、第４ステップで「ＮＯ」をした場合は「車両を選び直すか」の第７ステップに進み、「ＹＥＳ」をした場合は第２ステップに戻り、また「ＮＯ」した場合は「契約クラス違反時の処理を行う」の第８ステップに進む。
【００２９】
なお、第６ステップにおいて、契約違反時の処理は契約内容に従う。例えば車検
代金を通常の半額とした契約の場合には残りの半額＋利息を払うことが考えられる。
【００３０】
また、第７ステップにおいて、選択した購入新車が契約時の車検クラスと同等以上でないことが判明した場合は再度契約に合う車両を選び直すこともできるし、そのまま契約違反時のペナルティを払って購入することも可能である。
【００３１】
なお、この実施例は車検車両と購入車両は普通車両同士或いは貨物車両同士比較する場合であり、普通車両と貨物車両も対象とした場合は普通車両と貨物車両間のクラスの関係を定義する必要がある。
【産業上の利用可能性】
【００３２】
以上要するに、本願発明によれば例えば極めて安い費用で車検を実施できる車検管理システム及びその方法を提供することができる。
【符号の説明】
【００３３】
１は契約内容収納部
２ａは車検対象検索部
２ｂは購入新車検索部
３は排気量乃至車両重量と車両クラスを関連付けた車両テーブル
４ａは車検対象車両クラス特定部
４ｂは購入新車クラス特定部
５は比較・判定部
６は基本車検代金ＤＢ
７は「初年度登録年月、型式指定番号、類別区分類」の入力部
８は「メーカー、車種、グレード、駆動方式」の入力部
９は参照用の全車種ＤＢ
【図１】
0006628406.tif 000002
【図２】
0006628406.tif 000003